(57)【要約】【課題】収容部材の周囲が狭い空間であっても、潤滑剤供給体の交換における作業効率を可能な転がりねじ装置用の収容部材着脱治具を提供する。【解決手段】本体部７４が有する開口部にねじ軸を通過させて、本体部７４をねじ軸の外径側に配置し、さらに、本体部７４からナットの端部側へ突出する治具側突出部７０を、収容部材２４に形成された被掛止部４２とねじ軸の周方向で対向させた状態で、本体部７４をねじ軸の周方向へ回転させることにより、被掛止部４２を治具側突出部７０で押圧し、この押圧した被掛止部４２を、ナットの端部側に形成された掛止部に対し、ナットの端面に沿って所定の掛止方向へ相対変位させて、掛止部内に掛止させる、または掛止部内から被掛止部４２を取り外す。【選択図】図９
2010276038.tif 000002
【特許請求の範囲】
【請求項１】
外周面に螺旋状のねじ軸側転動溝を有するねじ軸と、当該ねじ軸の外周側に配置されるとともに前記ねじ軸側転動溝に対向する螺旋状のナット側転動溝を内周面に有するナットと、潤滑剤を含有し、その含有した潤滑剤を前記ねじ軸の外周面へ供給する潤滑剤供給体と、当該潤滑剤供給体を内部に収容し、且つ前記ナットの端部側へ着脱可能に取り付けられる収容部材と、を備える転がりねじ装置における、前記収容部材を前記ナットの端部側へ着脱する転がりねじ装置用の収容部材着脱治具であって、
前記転がりねじ装置において、
前記ナットの端部側に、前記ねじ軸の軸方向に沿った方向へ突出するとともにねじ軸の周方向に沿って円弧状に延在する複数の掛止部が形成され、
前記収容部材に、前記複数の掛止部内に掛止される複数の被掛止部が形成され、
前記被掛止部は、前記掛止部に対して前記ねじ軸の周方向に沿って所定の掛止方向へ相対回転することにより掛止部内に掛止され、且つ前記掛止部に対して前記ねじ軸の周方向に沿って前記掛止方向と反対方向へ相対回転することにより掛止部内から取り外され、
前記収容部材着脱治具は、
前記ねじ軸の外径側に配置する本体部と、当該本体部から前記ナットの端部側へ突出し、且つ前記収容部材に形成された前記被掛止部と前記ねじ軸の周方向で対向する治具側突出部と、を備え、
前記本体部は、前記ねじ軸を通過可能な開口部を有することを特徴とする転がりねじ装置用の収容部材着脱治具。
【請求項２】
前記転がりねじ装置において、
前記収容部材に、前記ねじ軸の軸方向から見て、前記本体部及び前記治具側突出部のうち少なくとも一方を間に挟んで前記被掛止部と前記ねじ軸の周方向で対向する収容部材側第一突出部が形成され、
前記収容部材着脱治具において、
前記本体部及び前記治具側突出部のうち少なくとも一方は、前記ねじ軸の軸方向から見て、前記治具側突出部を前記被掛止部と前記ねじ軸の周方向で対向させた状態で、前記収容部材側第一突出部と前記ねじ軸の周方向で対向することを特徴とする請求項１に記載した転がりねじ装置用の収容部材着脱治具。
【請求項３】
前記転がりねじ装置において、
前記ナットの端部側に、前記収容部材と対向し、且つ弾性力により前記収容部材側へ突出して前記掛止部内に掛止された前記被掛止部の掛止部内からの逸脱を抑制する逸脱抑制部が形成され、
前記逸脱抑制部は、前記収容部材側からの前記ナットの端面側への押圧力により弾性変形して、前記掛止部内に掛止された前記被掛止部の掛止部内からの逸脱を許容し、
前記収容部材着脱治具において、
前記治具側突出部は、前記被掛止部と前記ねじ軸の周方向で対向した状態で前記逸脱抑制部を前記ナットの端面側へ押圧して弾性変形させ、前記掛止部内に掛止された前記被掛止部の掛止部内からの逸脱を許容させることを特徴とする請求項１または２に記載した転がりねじ装置用の収容部材着脱治具。
【請求項４】
前記転がりねじ装置において、
前記収容部材に、前記本体部と前記ねじ軸の軸方向で対向する収容部材側第二突出部が形成され、
前記収容部材着脱治具において、
前記本体部は、前記治具側突出部が前記逸脱抑制部を前記ナットの端面側へ押圧して弾性変形させ、前記掛止部内に掛止された前記被掛止部の掛止部内からの逸脱を許容させた状態で、前記収容部材側第二突出部と接触することを特徴とする請求項３に記載した転がりねじ装置用の収容部材着脱治具。
【発明の詳細な説明】
【技術分野】
【０００１】
本発明は、含有した潤滑剤をねじ軸の外周面へ供給する潤滑剤供給体を内部に収容した収容部材を、ナットの端部側へ着脱する際に用いる転がりねじ装置用の収容部材着脱治具に関する。
【背景技術】
【０００２】
従来から、搬送装置等を構成する直動装置には、ボールねじやリニアガイド等の直動案内装置が備えられている。
図１８は、直動装置８２の一般的な構成例を示す図であり、図１８（ａ）は直動装置８２の上面図、図１８（ｂ）は図１８（ａ）をねじ軸２の軸方向から見た図である。
図１８中に示されているように、この直動装置８２は、ボールねじ１と、ボールねじ１の両側に配置された二つのリニアガイド８４ａ，８４ｂと、ブラケット８６を備えている。なお、ボールねじ１の詳細な構成は、後述する。また、図１８中では、リニアガイド８４ａ，８４ｂが備える案内レール８８を、それぞれ、案内レール８８ａ，８８ｂと示している。また、図１８（ｂ）中では、案内レール８８ａ，８８ｂを設置する基台を、符号Ｂを付して示している。
【０００３】
ブラケット８６は、ボールねじ１が備えるナット４と、リニアガイド８４ａ，８４ｂがそれぞれ備えるスライダ９０ａ，９０ｂに組み付けられており、ねじ軸２が回転すると、ナット４及びスライダ９０ａ，９０ｂとともに、ねじ軸２の軸方向に沿って移動する。
図１９は、図１８のＡ−Ａ線断面図であり、ボールねじ１の構成を示す図である。
図１９中に示されているように、ボールねじ１は、螺旋状のねじ軸側転動溝６を外周面に有するねじ軸２と、ねじ軸２の外周側に配置されるとともに、ねじ軸側転動溝６に対向するナット側転動溝８を内周面に有するナット４と、潤滑剤を含有した潤滑剤供給体２０を備えている。
【０００４】
ねじ軸側転動溝６とナット側転動溝８との間に形成される負荷転動路１０内には、セラミック製のボール等、複数の転動体１２が転動自在に装填されており、これらの転動体１２は、ねじ軸２またはナット４の回転運動に伴って、負荷転動路１０内を転動する構成となっている。したがって、ボールねじ１は、転動体１２の転動に伴ってねじ軸２とナット４が相対移動する転がりねじ装置を形成している。
【０００５】
潤滑剤供給体２０は、円環状に形成されており、ナット４の端面に取り付けられた収容部材２４の内部へ配置され、その内周面がねじ軸２の外周面と摺接することで、含有している潤滑剤を、ねじ軸２の外周面へ供給する構成となっている。そして、ねじ軸２の外周面を介して、負荷転動路１０と転動体１２との間に潤滑剤を供給することにより、負荷転動路１０と転動体１２の磨耗や、負荷転動路１０と転動体１２との摩擦による加熱等を防止している。
【０００６】
収容部材２４は、円筒形に形成され、外周面を径方向に貫通する複数の貫通孔９２を有している。潤滑剤供給体２０は、収容部材２４が有する複数の貫通孔９２に、収容部材２４の外周側から取付けねじ９４を挿通することにより、収容部材２４の内周側に取り付けて、ナット４の端部側に配置されている。なお、図１９中では、説明のために、複数の貫通孔９２に挿通する取付けねじ９４のうち、収容部材２４をナット４の端面に取り付ける取付けねじ９４の図示を省略している。
【０００７】
また、潤滑剤供給体２０は、収容部材２４の内部において、収容部材２４の内周側に取り付けた防塵部材２２と、ナット４の端面との間に配置されている。防塵部材２２は、潤滑剤供給体２０と同様、貫通孔９２に挿通する取付けねじ９４により、収容部材２４の内周側に取り付けられている。
ここで、図１８（ａ）中に示すように、ブラケット８６は、上面視で、ナット４及びナット側キャップ１８と重なっている。これにより、収容部材２４のうち、取付けねじ９４を挿通する位置は、ブラケット８６及び基台Ｂと上下方向で重なっている。同様に、収容部材２４のうち、取付けねじ９４を挿通する位置の大部分が、リニアガイド８４ａ及びリニアガイド８４ｂと左右方向で重なっている。
【０００８】
また、図１９に示したものとは異なる、ナットの端面に潤滑剤供給体を配置する構成としては、例えば、特許文献１に記載されているように、ねじ軸の軸方向に延在する取付けねじを用いて、潤滑剤供給体をナットの端部側に配置する構成のものがある。
したがって、図１９に示す構成や、特許文献１に記載されているような構成のボールねじであれば、潤滑剤供給体が含有している潤滑剤をねじ軸の外周面へ供給することが可能となるため、ボールねじの作動性及び耐久性を向上させることが可能となる。これにより、ボールねじを備える直動装置の作動性及び耐久性を向上させることが可能となる。
【先行技術文献】
【特許文献】
【０００９】
【特許文献１】特許第３７９６９７２号公報
【発明の概要】
【発明が解決しようとする課題】
【００１０】
一般に、ボールねじの寿命は１０年程度となっている。これに対し、潤滑剤供給体の寿命は５年程度となっている。このため、潤滑剤供給体は、一定期間毎に交換する必要がある。
しかしながら、特許文献１に記載されている構成を含め、従来のボールねじにおける、ナットの端面へ潤滑剤供給体を配置する構成では、直動装置が構成されている状態で取付けねじを外すことが困難であるため、ナットから潤滑剤供給体を取り外すことが困難である。
【００１１】
具体的には、例えば、図１８に示す直動装置８２が備えるボールねじ１では、図中において楕円Ｃで囲んだ範囲及びその周辺において、ドライバー等の工具を使用することが困難であるため、取付けねじ９４を外すことが困難である。これは、収容部材２４のうち、取付けねじ９４を挿通する部分が、ブラケット８６、基台Ｂ、リニアガイド８４ａ及びリニアガイド８４ｂと、ねじ軸２の径方向で重なっており、潤滑剤供給体２０を収容する収容部材２４の周囲が狭い空間であるため、ドライバー等の工具を使用するためのスペースを確保することが困難であることに起因する。
【００１２】
したがって、潤滑剤供給体の交換作業においては、潤滑剤供給体を収容する収容部材をナットの端部側へ着脱するために、直動装置を分解する必要があることから、直動装置の停止時間が長期化してしまうおそれがある。このため、直動装置の稼動効率が低下してしまうという問題が生じるおそれがある。
本発明は、上記のような問題点に着目してなされたもので、潤滑剤供給体の交換における作業効率を向上させることが可能な、転がりねじ装置用の収容部材着脱治具を提供することを課題とする。
【課題を解決するための手段】
【００１３】
上記課題を解決するために、本発明のうち、請求項１に記載した発明は、外周面に螺旋状のねじ軸側転動溝を有するねじ軸と、当該ねじ軸の外周側に配置されるとともに前記ねじ軸側転動溝に対向する螺旋状のナット側転動溝を内周面に有するナットと、潤滑剤を含有し、その含有した潤滑剤を前記ねじ軸の外周面へ供給する潤滑剤供給体と、当該潤滑剤供給体を内部に収容し、且つ前記ナットの端部側へ着脱可能に取り付けられる収容部材と、を備える転がりねじ装置における、前記収容部材を前記ナットの端部側へ着脱する転がりねじ装置用の収容部材着脱治具であって、
前記転がりねじ装置において、
前記ナットの端部側に、前記ねじ軸の軸方向に沿った方向へ突出するとともにねじ軸の周方向に沿って円弧状に延在する複数の掛止部が形成され、
前記収容部材に、前記複数の掛止部内に掛止される複数の被掛止部が形成され、
前記被掛止部は、前記掛止部に対して前記ねじ軸の周方向に沿って所定の掛止方向へ相対回転することにより掛止部内に掛止され、且つ前記掛止部に対して前記ねじ軸の周方向に沿って前記掛止方向と反対方向へ相対回転することにより掛止部内から取り外され、
前記収容部材着脱治具は、
前記ねじ軸の外径側に配置する本体部と、当該本体部から前記ナットの端部側へ突出し、且つ前記収容部材に形成された前記被掛止部と前記ねじ軸の周方向で対向する治具側突出部と、を備え、
前記本体部は、前記ねじ軸を通過可能な開口部を有することを特徴とするものである。
【００１４】
本発明によると、本体部が有する開口部にねじ軸を通過させて、本体部をねじ軸の外径側に配置し、さらに、治具側突出部を被掛止部とねじ軸の周方向で対向させた状態で、本体部をねじ軸の周方向へ回転させる。これにより、被掛止部を治具側突出部で押圧し、この押圧した被掛止部を、掛止部に対し、ナットの端面に沿って所定の掛止方向へ相対変位させて、掛止部内に掛止させる、または掛止部内から被掛止部を取り外すことが可能となる。
このため、潤滑剤供給体を収容する収容部材の周囲が狭い空間であっても、収容部材のナットの端部側への着脱作業が容易となる。
【００１５】
次に、本発明のうち、請求項２に記載した発明は、請求項１に記載した発明であって、前記転がりねじ装置において、
前記収容部材に、前記ねじ軸の軸方向から見て、前記本体部及び前記治具側突出部のうち少なくとも一方を間に挟んで前記被掛止部と前記ねじ軸の周方向で対向する収容部材側第一突出部が形成され、
前記収容部材着脱治具において、
前記本体部及び前記治具側突出部のうち少なくとも一方は、前記ねじ軸の軸方向から見て、前記治具側突出部を前記被掛止部と前記ねじ軸の周方向で対向させた状態で、前記収容部材側第一突出部と前記ねじ軸の周方向で対向することを特徴とするものである。
【００１６】
本発明によると、本体部をねじ軸の外径側に配置するとともに、治具側突出部を被掛止部とねじ軸の周方向で対向させ、さらに、本体部及び治具側突出部のうち少なくとも一方を、ねじ軸の軸方向から見て、収容部材側第一突出部とねじ軸の周方向で対向させた状態で、本体部をねじ軸の周方向へ回転させる。これにより、収容部材側第一突出部を、本体部及び治具側突出部のうち少なくとも一方で押圧して、被掛止部を、掛止部に対し、ナットの端面に沿って所定の掛止方向と反対の方向へ相対変位させて、掛止部内に掛止させる、または掛止部内から被掛止部を取り外すことが可能となる。
このため、本体部をねじ軸の周方向へ回転させて、被掛止部を治具側突出部で押圧することが可能となるとともに、収容部材側第一突出部を本体部及び治具側突出部のうち少なくとも一方で押圧することが可能となる。これにより、被掛止部を、掛止部内に掛止させる、または掛止部内から被掛止部を取り外す際に、本体部をねじ軸の周方向へ回転させる回転角を減少させることが可能となる。
【００１７】
次に、本発明のうち、請求項３に記載した発明は、請求項１または２に記載した発明であって、前記転がりねじ装置において、
前記ナットの端部側に、前記収容部材と対向し、且つ弾性力により前記収容部材側へ突出して前記掛止部内に掛止された前記被掛止部の掛止部内からの逸脱を抑制する逸脱抑制部が形成され、
前記逸脱抑制部は、前記収容部材側からの前記ナットの端面側への押圧力により弾性変形して、前記掛止部内に掛止された前記被掛止部の掛止部内からの逸脱を許容し、
前記収容部材着脱治具において、
前記治具側突出部は、前記被掛止部と前記ねじ軸の周方向で対向した状態で前記逸脱抑制部を前記ナットの端面側へ押圧して弾性変形させ、前記掛止部内に掛止された前記被掛止部の掛止部内からの逸脱を許容させることを特徴とするものである。
【００１８】
本発明によると、被掛止部とねじ軸の周方向で対向させた治具側突出部により、逸脱抑制部をナットの端面側へ押圧して弾性変形させ、掛止部内に掛止された被掛止部の、掛止部内からの逸脱を許容させる。
このため、治具側突出部により逸脱抑制部を弾性変形させた状態で、本体部を回転させることにより、掛止部内から被掛止部を取り外すことが可能となるため、収容部材をナットの端部側から取り外す作業が容易となる。
【００１９】
次に、本発明のうち、請求項４に記載した発明は、請求項３に記載した発明であって、前記転がりねじ装置において、
前記収容部材に、前記本体部と前記ねじ軸の軸方向で対向する収容部材側第二突出部が形成され、
前記収容部材着脱治具において、
前記本体部は、前記治具側突出部が前記逸脱抑制部を前記ナットの端面側へ押圧して弾性変形させ、前記掛止部内に掛止された前記被掛止部の掛止部内からの逸脱を許容させた状態で、前記収容部材側第二突出部と接触することを特徴とするものである。
【００２０】
本発明によると、治具側突出部が逸脱抑制部をナットの端面側へ押圧して弾性変形させ、掛止部内に掛止された被掛止部の、掛止部内からの逸脱を許容させた状態で、本体部が、本体部とねじ軸の軸方向で対向する収容部材側第二突出部と接触する。
このため、治具側突出部が逸脱抑制部をナットの端面側へ押圧して弾性変形させ、掛止部内に掛止された被掛止部の、掛止部内からの逸脱を許容させる際に、逸脱抑制部に過大な荷重が加わることを抑制することが可能となる。
【発明の効果】
【００２１】
本発明によれば、潤滑剤供給体を収容する収容部材の周囲が狭い空間であっても、収容部材のナットの端部側への着脱作業が容易となるため、潤滑剤供給体の交換における作業効率を向上させることが可能となる。
【図面の簡単な説明】
【００２２】
【図１】転がりねじ装置の一例であるボールねじの一部を破断して示す図である。
【図２】ナットの端部の構成を示す図であり、図２（ａ）は、ナットをねじ軸の軸方向から見た図、図２（ｂ）は、図２（ａ）のＢ−Ｂ線断面図である。
【図３】弾性変位部材の構成を示す図であり、図３（ａ）は、弾性変位部材をねじ軸の軸方向から見た図、図３（ｂ）は、図３（ａ）のＢ−Ｂ線断面図である。
【図４】第一実施形態のナット側キャップの構成を示す図であり、ナット側キャップを、ねじ軸の軸方向から見た斜視図である。
【図５】潤滑剤供給体の構成を示す図であり、潤滑剤供給体を、ねじ軸の軸方向から見た斜視図である。
【図６】防塵部材の構成を示す図であり、図６（ａ）は、防塵部材をねじ軸の軸方向から見た図、図６（ｂ）は、図６（ａ）のＢ−Ｂ線断面図である。
【図７】第一実施形態の収容部材の構成を示す図であり、収容部材をねじ軸の軸方向から見た斜視図である。
【図８】収容部材着脱治具の構成を示す図であり、収容部材着脱治具をねじ軸の軸方向から見た斜視図である。
【図９】収容部材をナットの端部側から取り外す作業の手順を示す図である。
【図１０】収容部材をナットの端部側から取り外す作業の手順を示す図である。
【図１１】収容部材をナットの端部側から取り外す作業の手順を示す図である。
【図１２】収容部材をナットの端部側から取り外す作業の手順を示す図である。
【図１３】収容部材をナットの端部側から取り外す作業の手順を示す図である。
【図１４】第一実施形態の収容部材着脱治具を用いずに潤滑剤供給体を交換した場合の、シールリップとねじ軸側転動溝との間に形成される隙間の状態を示す図である。
【図１５】第一実施形態の収容部材着脱治具を用いて潤滑剤供給体を交換した場合の、シールリップとねじ軸側転動溝との間に形成される隙間の状態を示す図である。
【図１６】第二実施形態のナット側キャップの構成を示す図であり、ナット側キャップを、ねじ軸の軸方向から見た斜視図である。
【図１７】第二実施形態の収容部材の構成を示す図であり、収容部材をねじ軸の軸方向から見た斜視図である。
【図１８】直動装置の一般的な構成例を示す図であり、（ａ）は直動装置の上面図、（ｂ）は（ａ）をねじ軸の軸方向から見た図である。
【図１９】図１８のＡ−Ａ線断面図である。
【発明を実施するための形態】
【００２３】
（第一実施形態）
以下、本発明の第一実施形態（以下、「本実施形態」と記載する）について、図面を参照しつつ説明する。
（構成）
まず、図１から図７を用いて、本実施形態の転がりねじ装置用の収容部材着脱治具（以下、「収容部材着脱治具」と記載する）を使用する対象となる、転がりねじ装置の構成を説明する。
図１は、転がりねじ装置の一例であるボールねじ１の一部を破断して示す図である。
ボールねじ１は、搬送機械等の直動装置（図示せず）が備える直動案内装置であり、図１中に示すように、ねじ軸２と、ナット４を備えている。
【００２４】
ねじ軸２は、螺旋状のねじ軸側転動溝６を外周面に有しており、その端部は、モータ等の回転動力源（図示せず）に連結されている。
ナット４は、ねじ軸２の外周側に配置され、ねじ軸側転動溝６と対向するナット側転動溝８を内周面に有している。ねじ軸側転動溝６とナット側転動溝８との間に形成される負荷転動路１０内には、例えば、セラミック製のボールによって形成された複数の転動体１２が、転動自在に装填されている。
【００２５】
ナット４の外周面には、リターンチューブ１４が固定されている。
すなわち、本実施形態のボールねじ１は、ねじ軸２（またはナット４）の回転運動に伴い、負荷転動路１０内を複数の転動体１２が転動し、ナット４（またはねじ軸２）が転動体１２の転動を介して、ねじ軸２の軸方向に沿って直線移動する構成となっている。したがって、ボールねじ１は、転動体１２の転動に伴ってねじ軸２とナット４が相対移動する転がりねじ装置を形成している。なお、本実施形態では、転がりねじ装置を、転動体１２がボールであるボールねじとしたが、これに限定されるものではなく、転がりねじ装置を、転動体１２がローラであるローラねじとしてもよい。
【００２６】
ねじ軸２（またはナット４）の回転運動に伴って負荷転動路１０内を転動する複数の転動体１２は、ナット４に取り付けられたリターンチューブ１４の一方の端部から、リターンチューブ１４内へすくい上げられる。リターンチューブ１４内へすくい上げられた転動体１２は、リターンチューブ１４内を通過し、リターンチューブ１４内を通過した転動体１２は、リターンチューブ１４の他方の端部から負荷転動路１０内へ戻される。すなわち、負荷転動路１０及びリターンチューブ１４によって、転動体１２の無限循環通路が形成されている。
【００２７】
また、ナット４は、その両端面に、それぞれ、弾性変位部材１６と、ナット側キャップ１８と、潤滑剤供給体２０及び防塵部材２２を内部に収容した収容部材２４が取り付けられている。なお、以下の説明では、ナット４の両端面のうち、一方の面に備えられた、弾性変位部材１６、ナット側キャップ１８、潤滑剤供給体２０、防塵部材２２及び収容部材２４について説明する。
【００２８】
以下、図１を参照しつつ、図２から図７を用いて、ナット４、弾性変位部材１６、ナット側キャップ１８、潤滑剤供給体２０、防塵部材２２及び収容部材２４の構成について説明する。
図２は、ナット４の端部の構成を示す図であり、図２（ａ）は、ナット４をねじ軸２の軸方向から見た図、図２（ｂ）は、図２（ａ）のＢ−Ｂ線断面図である。なお、図２中では、説明のために、ナット側転動溝８の図示を省略している。
図２中に示すように、ナット４の端部において、ナット４の内周側には、弾性変位部材１６が嵌合する弾性変位部材嵌合溝２６が形成されている。
【００２９】
弾性変位部材嵌合溝２６は、ねじ軸２の周方向に連続する凹状溝であり、ナット４の中心軸線を挟んで対向する、二箇所の弾性変位部材嵌合部２８が形成されている。
各弾性変位部材嵌合部２８は、後述する弾性変位部材側凸部３０が嵌合する凹部であり、その開口は、ナット４の中心軸線を挟んで互いに対向している。
図３は、弾性変位部材１６の構成を示す図であり、図３（ａ）は、弾性変位部材１６をねじ軸２の軸方向から見た図、図３（ｂ）は、図３（ａ）のＢ−Ｂ線断面図である。
図３中に示すように、弾性変位部材１６は、弾性変位部材嵌合溝２６に嵌合する円環状に形成されており、二箇所の弾性変位部材側凸部３０と、二箇所の弾性変位用空隙部３２と、二箇所のキャップ取り付けねじ螺合孔３４を備えている。
【００３０】
各弾性変位部材側凸部３０は、弾性変位部材１６の外周面から突出しており、弾性変位部材嵌合部２８に嵌合する形状に形成されている。
各弾性変位用空隙部３２は、弾性変位部材１６の周方向に沿って形成された空隙部であり、弾性変位部材側凸部３０と弾性変位部材１６の径方向で重なる位置に形成されている。
各キャップ取り付けねじ螺合孔３４は、弾性変位部材１６をねじ軸２の軸方向に貫通する貫通孔であり、その内周面に、後述するキャップ取り付けねじの雄ねじが螺合する雌ねじが形成されている。
【００３１】
なお、ナット４の端面に弾性変位部材１６を取り付ける際には、弾性変位部材側凸部３０をナット４の中心軸側へ押圧付勢して、弾性変位用空隙部３２のナット４の径方向に沿った長さを減少させ、弾性変位用空隙部３２側へ変位させる。そして、弾性変位用空隙部３２側へ変位させた弾性変位部材側凸部３０を、弾性変位部材嵌合部２８に嵌合させて、弾性変位部材嵌合溝２６に弾性変位部材１６を嵌合させる。弾性変位部材側凸部３０を弾性変位部材嵌合部２８に嵌合させると、弾性変位用空隙部３２のナット４の径方向に沿った長さは、元の長さに復元する。
【００３２】
図４は、ナット側キャップ１８の構成を示す図であり、ナット側キャップ１８を、ねじ軸２の軸方向から見た斜視図である。
図４中に示すように、ナット側キャップ１８は、二箇所の掛止部３６と、二箇所の弾性変位抑制ねじ螺合孔３８と、二箇所のキャップ取り付けねじ貫通孔４０を備えている。
各掛止部３６は、ねじ軸２の軸方向に沿った方向へ突出するとともに、ねじ軸２の周方向に沿って円弧状に延在しており、後述する被掛止部４２と嵌合する形状に形成されている。
【００３３】
また、各掛止部３６は、相対変位規制手段４４を有している。
相対変位規制手段４４は、被掛止部４２の掛止部３６内への出入りを許容する出入り許容部４６と、掛止部３６に嵌合した被掛止部４２の、出入り許容部４６と反対方向からの逸脱を防止する逸脱防止部４８を有している。
出入り許容部４６は、ねじ軸２のうちナット４の端面よりも収容部材２４側に配置されている部分がナット４の端面へ向けて移動する際に、ねじ軸２の軸方向から見て、ねじ軸２が回転する方向に形成されている。本実施形態では、出入り許容部４６が形成されている方向が、掛止部３６のうち、ねじ軸２の軸方向から見て時計回りの方向である場合について説明する。
【００３４】
逸脱防止部４８は、ねじ軸２のうちナット４の内部に配置されている部分が収容部材２４側へ向けて移動する際に、ねじ軸２の軸方向から見て、ねじ軸２が回転する方向に形成されており、掛止部３６を、ねじ軸２の周方向から見て閉塞している。本実施形態では、逸脱防止部４８が形成されている方向が、掛止部３６のうち、ねじ軸２の軸方向から見て反時計回りの方向である場合について説明する。
各弾性変位抑制ねじ螺合孔３８は、ナット側キャップ１８をねじ軸２の軸方向に貫通する貫通孔であり、その内周面に、後述する弾性変位抑制ねじの雄ねじが螺合する雌ねじが形成されている。
【００３５】
また、各弾性変位抑制ねじ螺合孔３８は、ナット４の端面にナット側キャップ１８を取り付けた状態で、弾性変位用空隙部３２と重なる位置に形成されている。
各キャップ取り付けねじ貫通孔４０は、ナット側キャップ１８をねじ軸２の軸方向に貫通する貫通孔であり、キャップ取り付けねじを挿通可能な径に形成されている。
また、各キャップ取り付けねじ貫通孔４０は、ナット４の端面にナット側キャップ１８を取り付けた状態で、キャップ取り付けねじ螺合孔３４と重なる位置に形成されている。
なお、ナット４の端面にナット側キャップ１８を取り付ける際には、キャップ取り付けねじ貫通孔４０を、弾性変位部材１６のキャップ取り付けねじ螺合孔３４と重ねた状態で、キャップ取り付けねじ貫通孔４０に、キャップ取り付けねじ（図示せず）を挿通する。これに加え、キャップ取り付けねじの雄ねじを、キャップ取り付けねじ螺合孔３４に形成した雌ねじに螺合させる。
【００３６】
さらに、弾性変位抑制ねじ（図示せず）の雄ねじを、弾性変位抑制ねじ螺合孔３８に形成した雌ねじに螺合させて、弾性変位抑制ねじ螺合孔３８に弾性変位抑制ねじを挿通する。これに加え、弾性変位抑制ねじの先端側を、弾性変位用空隙部３２内に配置する。これにより、弾性変位抑制ねじによって、弾性変位用空隙部３２のナット４の径方向に沿った長さの減少を抑制し、弾性変位部材嵌合溝２６に弾性変位部材１６を嵌合させた状態を保持する。
なお、本実施形態では、ナット４が、ナット側キャップ１８を備えている構成としたが、これに限定するものではない。すなわち、ナット４が、ナット側キャップ１８を備えていない構成とし、ナット４が、二箇所の掛止部３６と、二箇所の弾性変位抑制ねじ螺合孔３８と、二箇所のキャップ取り付けねじ貫通孔４０を備えている構成としてもよい。
【００３７】
図５は、潤滑剤供給体２０の構成を示す図であり、潤滑剤供給体２０を、ねじ軸２の軸方向から見た斜視図である。
図５中に示すように、潤滑剤供給体２０は、半円形に形成された二つの供給体構成部材２０ａ，２０ｂを、互いに組み合わせて形成されており、全体として円環状をなしている。
潤滑剤供給体２０の内周面は、ねじ軸２の外周面と摺接している。
潤滑剤供給体２０の外周面、具体的には、供給体構成部材２０ａ，２０ｂのそれぞれの外周面には、全周に亘って連続する凹状溝５０が形成されており、この凹状溝５０内には、ガータースプリング５２が配置されている。
ガータースプリング５２は、円環状に形成されており、互いに組み合わせた供給体構成部材２０ａ，２０ｂを、互いに押圧付勢させて結合している。
【００３８】
また、供給体構成部材２０ａ，２０ｂには、第一回転抑制用凹部５４ａと、第二回転抑制用凹部５４ｂが形成されている。なお、本実施形態では、供給体構成部材２０に、第一回転抑制用凹部５４ａ及び第二回転抑制用凹部５４ｂを形成した場合について説明するが、これに限定するものではなく、供給体構成部材２０に、第一回転抑制用凹部５４ａと第二回転抑制用凹部５４ｂのうち一方のみを形成してもよい。
第一回転抑制用凹部５４ａは、潤滑剤供給体２０の外周面と潤滑剤供給体２０のナット４の端面と対向する面とを連続している。
【００３９】
第二回転抑制用凹部５４ｂは、第一回転抑制用凹部５４ａと凹状溝５０を間に挟んで対向配置されており、潤滑剤供給体２０の外周面と潤滑剤供給体２０のナット４の端面と対向する面と反対側の面とを連続している。
なお、本実施形態では、供給体構成部材２０が、回転抑制用凹部５４を有している場合について説明するが、これに限定するものではなく、供給体構成部材２０が、回転抑制用凹部５４を有していない構成であってもよい。
【００４０】
以下、潤滑剤供給体２０を形成する材料について説明する。
潤滑剤供給体２０を形成する材料としては、潤滑剤を含有した合成樹脂を用いており、潤滑剤を含有した合成樹脂としては、ポリオレフィン系合成樹脂を用いている。ポリオレフィン系合成樹脂としては、具体的には、ポリエチレン、ポリプロピレン、ポリメチルペンテン等を使用することが可能である。
ポリエチレンは、数平均分子量１００００〜１００００００未満の低〜中分子量のものと、数平均分子量１００００００〜６００００００の超高分子量のものとを混合して用いる。そのうちの超高分子量ポリエチレンは、溶解時の流動性が悪いため、そのものの含有比率は射出成形材料の全組成中の５〜１０重量％程度が適当であり、１０重量％を越えると射出成形が困難になる。一方、５重量％未満では機械的強度が低下して実用的でなくなる。
【００４１】
ポリプロピレンとしては、数平均分子量１０００００〜４０００００のものを用いることが可能であるが、本発明の組成物のような高い含油量であると、単独では機械的強度が低くなり過ぎるので、その向上を目的として超高分子量ポリエチレンを添加しても良い。
ポリメチルペンテンとしては、数平均分子量６０００００〜２００００００のものを用いると好適である。
【００４２】
潤滑剤供給体２０が含有する潤滑剤としては、例えば、鉱油、ポリα−オレフィン油、ジアルキルジフェニルエーテル油、オクタデシルジフェニルエーテル油等のアルキルポリフェニルエーテル油、エイコシルナフタレン等のアルキルナフタレン油等が好適である。また、潤滑性を向上させる目的で、添加剤としてエチルヘキシルセバケート等のエステル油を用いても良いが、極性の低いポリオレフィン系合成樹脂と極性の高いエステル油との相溶性が悪くて製品の保油性を低くするため、その混合量は全体油量中の３０重量％以下とするのが好ましい。３０重量％を越える量のエステル油を含有させると、保油性が悪くなる結果、多量の潤滑剤を含有させることが難しくなるのと同時に、潤滑剤の滲出速度が早くなり過ぎて早期に枯渇してしまう。
【００４３】
本実施形態では、潤滑剤供給体２０を、上述した樹脂材料と潤滑剤とを混合して加熱溶融した後、所定の型に注入して加圧しながら冷却固化させて成形したものとし、予め、酸化防止剤、錆止め剤、摩耗防止剤、あわ消し剤、極圧剤等の各種の添加剤を加えたものとする。また、潤滑剤供給体２０の機械的強度を向上させるため、上述のポリα−オレフィン系ポリマーに、以下のような熱可塑性樹脂及び熱硬化性樹脂を添加したものとしてもよい。
【００４４】
熱可塑性樹脂としては、ポリアミド、ポリカーボネート、ポリブチレンテレフタレート、ポリフェニレンサルファイド、ポリエーテルスルホン、ポリエーテルエーテルケトン、ポリアミドイミド、ポリスチレン、ＡＢＳ樹脂等の各樹脂を使用することが可能である。また、熱硬化性樹脂としては、不飽和ポリエステル樹脂、尿素樹脂、メラミン樹脂、フェノール樹脂、ポリイミド樹脂、エポキシ樹脂等の各樹脂を使用することが可能である。
【００４５】
なお、本実施形態では、潤滑剤供給体２０を形成する材料として、潤滑剤を含有した合成樹脂を用いているが、潤滑剤供給体２０を形成する材料は、これに限定されるものではない。すなわち、潤滑剤供給体２０を形成する材料として、潤滑剤供給体２０に含浸されている潤滑剤を、円滑にねじ軸２の外周面に供給可能な材質、例えば、ウール混合ポリエステル製フェルト等を用いてもよい。
【００４６】
図６は、防塵部材２２の構成を示す図であり、図６（ａ）は、防塵部材２２をねじ軸２の軸方向から見た図、図６（ｂ）は、図６（ａ）のＢ−Ｂ線断面図である。
図６中に示すように、防塵部材２２は、円環状に形成されており、ねじ軸２の外周面と対向する面に、シールリップ５６を有している。
シールリップ５６は、ねじ軸側転動溝６の形状に応じて螺旋状に形成され、ねじ軸側転動溝６を含むねじ軸２の外周面に接触する形状に形成されている。
なお、防塵部材２２を収容部材２４の内部へ収容する際には、後述する防塵部材取付け孔５８に防塵部材取付けねじ（図示せず)を挿通するとともに、この挿通した防塵部材取付けねじの先端で、防塵部材２２の外径面を押圧する。
【００４７】
図７は、収容部材２４の構成を示す図であり、収容部材２４をねじ軸２の軸方向から見た斜視図である。
図７中に示すように、収容部材２４は、透明または半透明のプラスチック等、内部に収容した潤滑剤供給体２０を外部から視認可能な光透過性を有する材料を用いて、ねじ軸２の軸方向に沿って開口する円筒状に形成されている。
なお、本実施形態では、収容部材２４を形成する材料として、光透過性を有する材料を用いたが、これに限定されるものではなく、収容部材２４を形成する材料として、内部に収容した潤滑剤供給体２０を外部から視認可能な光透過性を有していない材料を用いてもよい。
【００４８】
また、収容部材２４には、隔壁部６０と、二箇所の防塵部材取付け孔５８と、二箇所の被掛止部４２と、二箇所の収容部材側第一突出部６２が形成されている。
隔壁部６０は、収容部材２４の内部空間を二つの空間に分割する板状部材であり、ねじ軸２が挿通可能な開口部を有する円環状に形成されている。
隔壁部６０により分割された二つの空間のうち、ナット４側の空間は、潤滑剤供給体２０を収容する第一収容空間６４を形成する。一方、隔壁部６０により分割された二つの空間のうち、他方の空間は、防塵部材２２を収容する第二収容空間６６を形成する。
【００４９】
第一収容空間６４における収容部材２４の内周面には、第一収容空間６４に潤滑剤供給体２０を収容した状態で、潤滑剤供給体２０に形成された回転抑制用凹部５４、具体的には、第二回転抑制用凹部５４ｂと嵌合する収容部材側回転抑制用凸部６８が形成されている。したがって、回転抑制用凹部５４と収容部材側回転抑制用凸部６８により、潤滑剤供給体２０がねじ軸２に対して、収容部材２４から独立して回転することが抑制されている。これに加え、潤滑剤供給体２０がナット４から独立して回転することが抑制されている。
【００５０】
なお、本実施形態では、収容部材２４に、収容部材側回転抑制用凸部６８が形成されている場合について説明するが、これに限定するものではなく、収容部材２４に、収容部材側回転抑制用凸部６８が形成されていない構成であってもよい。
各防塵部材取付け孔５８は、収容部材２４をナット４の径方向に貫通して収容部材２４の外部と第二収容空間６６とを連通する孔であり、防塵部材取付けねじ（図示せず)を挿通可能な径に形成されている。
【００５１】
各被掛止部４２は、収容部材２４のナット４の端面と対向する面に設けられており、収容部材２４の外周面からナット４の外周側へ向けて突出する形状に形成されている。
具体的には、被掛止部４２は、収容部材２４の外径面において、ねじ軸２の周方向に沿って延在する凸部であり、出入り許容部４６を通過して掛止部３６内に挿入可能な形状に形成されている。
したがって、掛止部３６が有する相対変位規制手段４４は、掛止部３６内に掛止された被掛止部４２の、掛止部３６に対するナット４の端面に沿った一方向のみの相対変位を許容する構成となっており、この許容される方向が、被掛止部４２が、掛止部３６に対して、ナット４の端面に沿って相対変位することにより掛止部３６内に掛止される、所定の掛止方向となっている。
【００５２】
また、相対変位規制手段４４が有する逸脱防止部４８により、掛止部３６内に掛止された被掛止部４２の、掛止部３６に対する掛止方向への相対変位が規制されている。
本実施形態では、相対変位規制手段４４が有する出入り許容部４６が形成されている方向を、掛止部３６のうち、ねじ軸２の軸方向から見て時計回りの方向としている。これに加え、逸脱防止部４８が形成されている方向を、掛止部３６のうち、ねじ軸２の軸方向から見て反時計回りの方向としている。
【００５３】
したがって、本実施形態では、収容部材２４を、ねじ軸２の軸方向から見て反時計回りの方向へ回転させて、被掛止部４２を、ねじ軸２の軸方向から見て反時計回りの方向へ回転させることにより、被掛止部４２と掛止部３６を嵌合させると、被掛止部４２が掛止部３６内に掛止され、収容部材２４がナット４の端部側に配置されて、収容部材２４が、ナット４の端面へ配置される。
同様に、本実施形態では、収容部材２４を、ねじ軸２の軸方向から見て時計回りの方向へ回転させて、被掛止部４２を、ねじ軸２の軸方向から見て時計回りの方向へ回転させることにより、掛止部３６内から被掛止部４２を取り外すと、収容部材２４がナット４の端面から取り外される。
各収容部材側第一突出部６２は、収容部材２４の外径面に形成された凸部であり、ねじ軸２の軸方向に延在するとともに、ねじ軸２の周方向に延在している。
【００５４】
また、各収容部材側第一突出部６２は、各被掛止部４２と離間している。したがって、収容部材側第一突出部６２と被掛止部４２との間には、ねじ軸２の軸方向から見て、ねじ軸２の周方向に沿って隙間が形成されている。この隙間は、ねじ軸２の軸方向から見て、後述する治具側突出部７０を挿入可能な隙間とする。
以上により、上述したボールねじ１は、被掛止部４２を、ナット４の端面に沿って、出入り許容部４６側から逸脱防止部４８側へ移動させることにより、被掛止部４２と掛止部３６を嵌合させることが可能である。このため、ねじ等の部材を用いることなく、収容部材２４をナット４の端部側へ着脱することが可能な構成である。
【００５５】
また、上述したボールねじ１は、出入り許容部４６が、ねじ軸２のうちナット４の端面よりも収容部材２４側に配置されている部分がナット４の端面へ向けて移動する際に、ねじ軸２の軸方向から見て、ねじ軸２が回転する方向に形成されている。これに加え、逸脱防止部４８が、ねじ軸２のうちナット４の内部に配置されている部分が収容部材２４側へ向けて移動する際に、ねじ軸２の軸方向から見て、ねじ軸２が回転する方向に形成されている。
このため、ねじ軸２が回転して、掛止部３６内から被掛止部４２が逸脱しても、潤滑剤供給体２０がねじ軸２によってナット４の端面へ押圧付勢されるため、収容部材２４がナット４の端部側に配置されている状態が保持される。
【００５６】
また、ねじ軸２が回転して、潤滑剤供給体２０がねじ軸２によってナット４の端面から離れる方向へ押圧付勢されても、掛止部３６に被掛止部４２が嵌合している状態が保持されるため、収容部材２４がナット４の端部側に配置されている状態が保持される。
これにより、ボールねじ１の動作状態によって、潤滑剤供給体２０のナット４の端面に対する配置状態が変化することが防止されるため、ボールねじ１の潤滑状態が安定し、ボールねじ１の作動性を安定させることが可能となる。
【００５７】
次に、図１から図７を参照しつつ、図８を用いて、収容部材着脱治具７２の構成を説明する。
図８は、収容部材着脱治具７２の構成を示す図であり、収容部材着脱治具７２をねじ軸２の軸方向から見た斜視図である。
図８中に示すように、収容部材着脱治具７２は、本体部７４と、二箇所の治具側突出部７０を備えている。
本体部７４は、板状部材を断面略Ｃ字状に湾曲させて、内部に空間を有する形状に形成されており、ねじ軸２を通過可能な開口部７６を有している。なお、本実施形態では、開口部７６のねじ軸２の径方向に沿った長さを、ねじ軸２の直径よりも大きくしている。
【００５８】
また、本体部７４は、ねじ軸２の軸方向に沿った長さが、収容部材２４の、ねじ軸２の軸方向に沿った長さよりも長くなるように形成されている。本実施形態では、一例として、本体部７４の、ねじ軸２の軸方向に沿った長さを、収容部材２４の、ねじ軸２の軸方向に沿った長さの三倍程度とする。
したがって、ねじ軸２に対し、収容部材着脱治具７２をねじ軸２の径方向へ変位させ、開口部７６にねじ軸２を通過させて、本体部７４が形成する空間内にねじ軸２を配置すると、本体部７４をねじ軸２の外径側に配置した状態となる。
各治具側突出部７０は、本体部７４と一体成形されており、本体部７４からナット４の端部側へ突出している。
【００５９】
また、各治具側突出部７０は、本体部７４をねじ軸２の外径側に配置した状態で、収容部材２４に形成された被掛止部４２と、ねじ軸２の周方向で対向する。
さらに、各治具側突出部７０を、被掛止部４２とねじ軸２の周方向で対向させた状態では、本体部７４が、ねじ軸２の軸方向から見て、収容部材側第一突出部６２とねじ軸２の周方向で対向する。この状態では、収容部材側第一突出部６２は、ねじ軸２の軸方向から見て、本体部７４及び治具側突出部７０を間に挟んで、被掛止部４２とねじ軸２の周方向で対向する。
【００６０】
（収容部材の着脱作業）
次に、図１から図８を参照しつつ、図９から図１３を用いて、上記の構成を備えたボールねじ１に対し、本実施形態の収容部材着脱治具７２を用いて、ナット４の端部側へ収容部材２４を着脱する着脱作業について説明する。
まず、ボールねじ１の作動時に生じる磨耗等や経年変化により劣化した、古い潤滑剤供給体２０を新しい潤滑剤供給体へ交換する作業のうち、古い潤滑剤供給体２０を収容した収容部材２４をナット４の端部側から取り外す、取り外し作業の手順を説明する。
【００６１】
図９から図１３は、収容部材２４をナット４の端部側から取り外す作業の手順を示す図であり、図９から図１３の順に沿って、取り外し作業が進行する状態を示している。
潤滑剤供給体２０をナット４から取り外す作業においては、まず、図９に示すように、本体部７４が有する開口部７６にねじ軸２を通過させて、本体部７４をねじ軸２の外径側に配置する。なお、図９中では、説明のため、収容部材着脱治具７２及び収容部材２４以外の図示を省略している。
このとき、治具側突出部７０を、収容部材２４に形成された被掛止部４２と、ねじ軸２の周方向で対向させるとともに、本体部７４を、ねじ軸２の軸方向から見て、収容部材２４に形成された収容部材側第一突出部６２と、ねじ軸２の周方向で対向させる。
【００６２】
次に、本体部７４をねじ軸２の軸方向から見て時計回りの方向へ回転させ、本体部７４により収容部材側第一突出部６２をねじ軸２の軸方向から見て時計回りの方向へ押圧して、収容部材２４を、ねじ軸２の軸方向から見て時計回りの方向へ回転させる。これにより、掛止部３６内に嵌合している被掛止部４２を、ねじ軸２の軸方向から見て時計回りの方向へ回転させる。
被掛止部４２が、ねじ軸２の軸方向から見て時計回りの方向へ回転すると、掛止部３６内から被掛止部４２が取り外される。
【００６３】
次に、図１０に示すように、潤滑剤供給体２０及び防塵部材２２を収容した収容部材２４を、ナット４の端面から離間させて、収容部材２４をナット４の端面から取り外すとともに、潤滑剤供給体２０及び防塵部材２２をナット４の端面から取り外す。
ここで、潤滑剤供給体２０及び防塵部材２２を収容した収容部材２４を、ナット４の端面から離間させる際には、治具側突出部７０を収容部材２４から取り外し、作業者の手で収容部材２４を把持して、この把持した収容部材２４を、ナット４の端面から離間させてもよい。また、本体部７４をねじ軸２の外径側から押圧して、本体部７４により収容部材２４を把持して、この把持した収容部材２４を、ナット４の端面から離間させてもよい。
【００６４】
そして、図１１に示すように、収容部材２４を固定した状態で、潤滑剤供給体２０のみをナット４の端面側へ向けて移動させることにより、収容部材２４の内部から、潤滑剤供給体２０を抜き出す。
収容部材２４の内部から潤滑剤供給体２０を抜き出した後、図１２に示すように、ガータースプリング５２を、潤滑剤供給体２０の外周面に形成された凹状溝５０内から取り出し、供給体構成部材２０ａ，２０ｂ同士の結合状態を解除する。このとき、ガータースプリング５２は、後述する取付け作業において使用するため、切断することなく、ねじ軸２の外周側に保持しておく。
ガータースプリング５２を凹状溝５０内から取り出した後、図１３に示すように、供給体構成部材２０ａ，２０ｂを分離させてねじ軸２の外周側から取り外し、古い潤滑剤供給体２０をナット４から取り外す作業を終了する。
【００６５】
次に、新しい潤滑剤供給体２０を収容した収容部材２４をナット４の端面に取り付ける、取り付け手順を説明する。なお、取り付け手順は、概ね、図１３から図９の順に沿って、取り外し作業と逆順で進行する。
新しい潤滑剤供給体２０を収容部材２４の内部に収容する際には、まず、供給体構成部材２０ａ，２０ｂを、その内周面がねじ軸２の外周面と接触するように互いに組み合わせ、凹状溝５０内にガータースプリング５２を配置することにより、供給体構成部材２０ａ，２０ｂを結合して、潤滑剤供給体２０を形成する。
【００６６】
次に、潤滑剤供給体２０の外周面に形成されている第二回転抑制用凹部５４ｂを、収容部材２４の内周面に形成された収容部材側回転抑制用凸部６８と嵌合させるとともに、潤滑剤供給体２０を収容部材２４の内部に収容する。
そして、上述した取り外し作業と同様、本体部７４が有する開口部７６にねじ軸２を通過させて、本体部７４をねじ軸２の外径側に配置する。そして、治具側突出部７０を、収容部材２４に形成された被掛止部４２と、ねじ軸２の周方向で対向させるとともに、本体部７４を、ねじ軸２の軸方向から見て、収容部材２４に形成された収容部材側第一突出部６２と、ねじ軸２の周方向で対向させる。
【００６７】
次に、本体部７４をねじ軸２の軸方向から見て時計回りの方向へ回転させ、治具側突出部７０により被掛止部４２をねじ軸２の軸方向から見て反時計回りの方向へ押圧して、収容部材２４を、ねじ軸２の軸方向から見て反時計回りの方向へ回転させる。これにより、被掛止部４２を、ねじ軸２の軸方向から見て反時計回りの方向へ回転させる。
被掛止部４２が、ねじ軸２の軸方向から見て反時計回りの方向へ回転すると、被掛止部４２が掛止部３６内へ挿入されて、掛止部３６内に掛止される。これにより、新しい潤滑剤供給体２０を収容した収容部材２４をナット４の端面に取り付けて、潤滑剤供給体２０の交換作業を終了する。
【００６８】
（第一実施形態の効果）
以下、本実施形態の効果を列挙する。
（１）本実施形態の収容部材着脱治具７２であれば、本体部７４が有する開口部７６にねじ軸を通過させて、本体部７４をねじ軸２の外径側に配置し、さらに、治具側突出部７０を被掛止部４２とねじ軸２の周方向で対向させた状態で、本体部７４をねじ軸の周方向へ回転させる。これにより、被掛止部４２を治具側突出部７０で押圧し、この押圧した被掛止部４２を、掛止部３６に対し、ナット４の端面に沿って所定の掛止方向へ相対変位させて、掛止部３６内に掛止させる、または掛止部３６内から被掛止部４２を取り外すことが可能となる。
【００６９】
このため、潤滑剤供給体２０を収容する収容部材２４の周囲が狭い空間であっても、収容部材２４のナット４の端部側への着脱作業が容易となる。
その結果、潤滑剤供給体２０の交換における作業効率を向上させることが可能となるため、ボールねじ１を備えた直動装置を停止する時間を短縮することが可能となり、直動装置の稼動効率を向上させることが可能となる。
【００７０】
（２）本実施形態の収容部材着脱治具７２であれば、本体部７４をねじ軸２の外径側に配置するとともに、治具側突出部７０を被掛止部４２とねじ軸の周方向で対向させ、さらに、本体部７４を、ねじ軸２の軸方向から見て、収容部材側第一突出部６２とねじ軸２の周方向で対向させた状態で、本体部７４をねじ軸２の周方向へ回転させる。これにより、収容部材側第一突出部６２を、本体部７４で押圧して、被掛止部４２を、掛止部３６に対し、ナット４の端面に沿って所定の掛止方向と反対の方向へ相対変位させて、掛止部３６内に掛止させる、または掛止部３６内から被掛止部４２を取り外すことが可能となる。
【００７１】
このため、本体部７４をねじ軸２の周方向へ回転させて、被掛止部４２を治具側突出部７０で押圧することが可能となるとともに、収容部材側第一突出部６２を本体部７４で押圧することが可能となる。
その結果、被掛止部４２を、掛止部３６内に掛止させる、または掛止部３６内から被掛止部４２を取り外す際に、本体部７４をねじ軸２の周方向へ回転させる回転角を減少させることが可能となるため、潤滑剤供給体２０の交換における作業効率を向上させることが可能となる。
【００７２】
（３）本実施形態の収容部材着脱治具７２であれば、潤滑剤供給体２０の交換作業時において、防塵部材２２を収容部材２４から外すこと無く、潤滑剤供給体２０を交換することが可能となる。
このため、ボールねじ１の組立て時に、防塵部材２２の取付け状態を設定した後は、潤滑剤供給体２０の交換作業を行っても、防塵部材２２とねじ軸２との位置関係が変化することを防止可能となる。
【００７３】
具体的には、例えば、図１４中に示すように、従来では、シールリップ５６とねじ軸側転動溝６との間に形成される隙間ＣＬ及びＣＲが、ねじ軸側転動溝６の底部を基準として不均一となる場合が多かった。一方、本実施形態の収容部材着脱治具７２であれば、図１５中に示すように、シールリップ５６とねじ軸側転動溝６との間に形成される隙間ＣＬ及びＣＲを、ねじ軸側転動溝６の底部を基準として均一とすることが可能となる。なお、隙間ＣＬとは、シールリップ５６とねじ軸側転動溝６との間に形成される隙間のうち、図中において、左側に示す隙間である。同様に、隙間ＣＲとは、シールリップ５６とねじ軸側転動溝６との間に形成される隙間のうち、図中において、右側に示す隙間である。
【００７４】
なお、図１４は、本実施形態の収容部材着脱治具７２を用いずに潤滑剤供給体２０を交換した場合の、シールリップ５６とねじ軸側転動溝６との間に形成される隙間の状態を示す図である。また、図１５は、本実施形態の収容部材着脱治具７２を用いて潤滑剤供給体２０を交換した場合の、シールリップ５６とねじ軸側転動溝６との間に形成される隙間の状態を示す図である。
その結果、客先等、ねじ軸２に対する防塵部材２２の位相合わせを行うために必要な道具が無い状況において、潤滑剤供給体２０の交換作業を行っても、防塵部材２２とねじ軸２との位置関係が変化することを防止可能となる。これにより、ボールねじ１の作動性及び耐久性の低下を抑制することが可能となる。
【００７５】
（応用例）
以下、本実施形態の応用例を記載する。
（１）本実施形態では、ボールねじ１において、収容部材２４に、本体部７４及び治具側突出部７０を間に挟んで、ねじ軸２の軸方向から見て、被掛止部４２とねじ軸２の周方向で対向する収容部材側第一突出部６２が形成されているが、これに限定するものではない。すなわち、収容部材２４に、収容部材側第一突出部６２が形成されていなくともよい。
【００７６】
（第二実施形態）
次に、本発明の第二実施形態（以下、「本実施形態」と記載する）について、図面を参照しつつ説明する。
（構成）
まず、図１６及び図１７を用いて、本実施形態の収容部材着脱治具を使用する対象となる、転がりねじ装置の構成を説明する。なお、本実施形態の収容部材着脱治具を使用する対象となる、転がりねじ装置の構成は、ナット側キャップ１８及び収容部材２４の構成を除き、上述した第一の実施形態と同様の構成である。このため、以下の説明は、ナット側キャップ１８及び収容部材２４に関する説明を中心に行う。
【００７７】
図１６は、ナット側キャップ１８の構成を示す図であり、ナット側キャップ１８を、ねじ軸２の軸方向から見た斜視図である。
図１６中に示すように、ナット側キャップ１８には、二箇所の逸脱抑制部７８が形成されている。
各逸脱抑制部７８は、ナット側キャップ１８の一部を切り欠いて形成されており、ナット４の軸方向から見てねじ軸２の周方向に沿った略長方形に形成されている。
【００７８】
逸脱抑制部７８の四つの辺のうち、出入り許容部４６に近接している一辺と、その両側に連続する二辺は、ナット側キャップ１８から切り離されており、潤滑剤供給体側への弾性力により変位して、ナット側キャップ１８の平坦部よりも潤滑剤供給体側へ突出している。また、逸脱抑制部７８の四つの辺のうち、出入り許容部４６に近接している一辺と反対側の一辺は、ナット側キャップ１８と連続している。
【００７９】
したがって、逸脱抑制部７８は、無負荷の状態では、潤滑剤供給体側へ突出しているため、掛止部３６に嵌合した被掛止部の出入り許容部４６側への変位を抑制する。一方、潤滑剤供給体側からのナット４の端面側への押圧力を受けると、この押圧力によって変形し、掛止部３６に嵌合した被掛止部の出入り許容部４６側への変位を許容する。
逸脱抑制部７８が形成される位置は、治具側突出部７０が、被掛止部４２とねじ軸２の周方向で対向した状態で逸脱抑制部７８をナット４の端面側へ押圧して弾性変形させ、掛止部３６内に掛止された被掛止部４２の掛止部３６内からの逸脱を許容させる位置とする。
【００８０】
図１７は、収容部材２４の構成を示す図であり、収容部材２４をねじ軸２の軸方向から見た斜視図である。
図１７中に示すように、収容部材２４には、収容部材側第二突出部８０が形成されている。
収容部材側第二突出部８０は、収容部材側第一突出部６２と同様、収容部材２４の外径面に形成された凸部であり、ねじ軸２の周方向に延在している。
また、収容部材側第二突出部８０は、治具側突出部７０を被掛止部４２とねじ軸２の周方向で対向させた状態で、本体部７４とねじ軸２の軸方向で対向する位置に配置されている。
【００８１】
また、収容部材側第二突出部８０は、被掛止部４２及び収容部材側第一突出部６２と離間している。したがって、収容部材側第二突出部８０と、被掛止部４２及び収容部材側第一突出部６２との間には、ねじ軸２の軸方向から見て、ねじ軸２の周方向に沿って隙間が形成されている。
さらに、治具側突出部７０が、逸脱抑制部７８をナット４の端面側へ押圧して弾性変形させ、掛止部３６内に掛止された被掛止部４２の掛止部３６内からの逸脱を許容させた状態では、本体部７４が、収容部材側第二突出部８０とねじ軸２の軸方向で接触する。
【００８２】
なお、本実施形態では、一例として、被掛止部４２を、掛止部３６内に掛止する実被掛止部４２ａと、掛止部３６内には掛止されず、治具側突出部７０と接触する接触被掛止部４２ｂから形成した場合を説明する。
ボールねじ１のその他の構成と、収容部材着脱治具７２の構成は、上述した第一実施形態と同様である。
【００８３】
（収容部材の着脱作業）
次に、図９から図１３、図１６及び図１７を参照して、上記の構成を備えたボールねじ１に対し、本実施形態の収容部材着脱治具７２を用いて、ナット４の端部側へ収容部材２４を着脱する着脱作業について説明する。なお、以下の説明では、ナット側キャップ及び収容部材２４以外の構成については、上述した第一実施形態と同様であるため、異なる部分を中心に説明する。
【００８４】
まず、古い潤滑剤供給体２０を新しい潤滑剤供給体へ交換する作業のうち、古い潤滑剤供給体２０を収容した収容部材２４をナット４の端部側から取り外す、取り外し作業の手順を説明する。
潤滑剤供給体２０をナット４から取り外す作業においては、まず、本体部７４が有する開口部７６にねじ軸２を通過させて、本体部７４をねじ軸２の外径側に配置する（図９参照）。
このとき、治具側突出部７０を、収容部材２４に形成された被掛止部４２と、ねじ軸２の周方向で対向させるとともに、本体部７４を、ねじ軸２の軸方向から見て、収容部材２４に形成された収容部材側第一突出部６２と、ねじ軸２の周方向で対向させる。
【００８５】
これに加え、治具側突出部７０により、逸脱抑制部７８をナット４の端面側へ押圧して弾性変形させ、掛止部３６内に掛止された被掛止部４２の掛止部３６内からの逸脱を許容させる。
この状態では、本体部７４が、収容部材側第二突出部８０と接触するため、収容部材着脱治具７２が、過度にナット４の端面側へ押圧されることが抑制される。
【００８６】
次に、本体部７４をねじ軸２の軸方向から見て時計回りの方向へ回転させて、収容部材２４を、ねじ軸２の軸方向から見て時計回りの方向へ回転させ、掛止部３６内に嵌合している被掛止部４２を、ねじ軸２の軸方向から見て時計回りの方向へ回転させる。これにより、掛止部３６内から被掛止部４２を取り外す。
次に、潤滑剤供給体２０及び防塵部材２２を収容した収容部材２４をナット４の端面から取り外す（図１０参照）。
そして、上述した第一実施形態と同様の手順により、古い潤滑剤供給体２０をナット４から取り外す。
【００８７】
次に、新しい潤滑剤供給体２０を収容した収容部材２４をナット４の端面に取り付ける、取り付け手順を説明する。なお、取り付け手順は、上述した第一実施形態と同様、概ね、取り外し作業と逆順で進行する。
新しい潤滑剤供給体２０を収容部材２４の内部に収容した後、上述した取り外し作業と同様、本体部７４が有する開口部７６にねじ軸２を通過させて、本体部７４をねじ軸２の外径側に配置する。そして、治具側突出部７０を、収容部材２４に形成された被掛止部４２と、ねじ軸２の周方向で対向させるとともに、本体部７４を、ねじ軸２の軸方向から見て、収容部材２４に形成された収容部材側第一突出部６２と、ねじ軸２の周方向で対向させる。
このとき、本体部７４を、収容部材側第二突出部８０と接触させるとともに、治具側突出部７０により、逸脱抑制部７８をナット４の端面側へ押圧して弾性変形させ、掛止部３６内に掛止された被掛止部４２の掛止部３６内からの逸脱を許容させる。
【００８８】
次に、本体部７４をねじ軸２の軸方向から見て時計回りの方向へ回転させ、収容部材２４を、ねじ軸２の軸方向から見て反時計回りの方向へ回転させる。これにより、被掛止部４２を、ねじ軸２の軸方向から見て反時計回りの方向へ回転させ、被掛止部４２が掛止部３６内へ挿入して、掛止部３６内に掛止させる。これにより、新しい潤滑剤供給体２０を収容した収容部材２４をナット４の端面に取り付けて、潤滑剤供給体２０の交換作業を終了する。
【００８９】
（第二実施形態の効果）
以下、本実施形態の効果を列挙する。
（１）本実施形態の収容部材着脱治具７２であれば、被掛止部４２とねじ軸２の周方向で対向させた治具側突出部７０により、逸脱抑制部７８をナット４の端面側へ押圧して弾性変形させ、掛止部３６内に掛止された被掛止部４２の、掛止部３６内からの逸脱を許容させる。
このため、治具側突出部７０により逸脱抑制部７８を弾性変形させた状態で、本体部７４を回転させることにより、掛止部３６内から被掛止部４２を取り外すことが可能となるため、収容部材２４をナット４の端部側から取り外す作業が容易となる。
その結果、潤滑剤供給体２０の交換における作業効率を向上させることが可能となる。
【００９０】
（２）本実施形態の収容部材着脱治具７２であれば、治具側突出部７０が逸脱抑制部７８をナット４の端面側へ押圧して弾性変形させ、掛止部３６内に掛止された被掛止部４２の、掛止部３６内からの逸脱を許容させた状態で、本体部７４が、本体部７４とねじ軸２の軸方向で対向する収容部材側第二突出部８０と接触する。
このため、治具側突出部７０が逸脱抑制部７８をナット４の端面側へ押圧して弾性変形させ、掛止部３６内に掛止された被掛止部４２の、掛止部３６内からの逸脱を許容させる際に、逸脱抑制部７８に過大な荷重が加わることを抑制することが可能となる。
その結果、逸脱抑制部７８の損傷を抑制することが可能となり、ボールねじ１の耐久性が低下することを抑制することが可能となる。
【符号の説明】
【００９１】
１    ボールねじ
２    ねじ軸
４    ナット
６    ねじ軸側転動溝
８    ナット側転動溝
１０  負荷転動路
１２  転動体
１６  弾性変位部材
１８  ナット側キャップ
２０  潤滑剤供給体
２２  防塵部材
２４  収容部材
３６  掛止部
４２  被掛止部
４４  相対変位規制手段
４６  出入り許容部
４８  逸脱防止部
５６  シールリップ
６２  収容部材側第一突出部
７０  治具側突出部
７２  収容部材着脱治具
７４  本体部
７６  開口部
７８  逸脱抑制部
８０  収容部材側第二突出部
８２  直動装置
８４  リニアガイド
８６  ブラケット
【図１】
2010276038.tif 000003
【図２】
2010276038.tif 000004
【図３】
2010276038.tif 000005
【図４】
2010276038.tif 000006
【図５】
2010276038.tif 000007
【図６】
2010276038.tif 000008
【図７】
2010276038.tif 000009
【図８】
2010276038.tif 000010
【図９】
2010276038.tif 000011
【図１０】
2010276038.tif 000012
【図１１】
2010276038.tif 000013
【図１２】
2010276038.tif 000014
【図１３】
2010276038.tif 000015
【図１４】
2010276038.tif 000016
【図１５】
2010276038.tif 000017
【図１６】
2010276038.tif 000018
【図１７】
2010276038.tif 000019
【図１８】
2010276038.tif 000020
【図１９】
2010276038.tif 000021